(57)【要約】【課題】ギヤ比のワイド化を図りつつ多段化を図ることが可能な車両用多段自動変速機を提供すること。【解決手段】少なくとも常時固定されている回転メンバを有し、３つの回転メンバで構成される減速遊星ギヤＧ１と、第１クラッチＣ１と第２クラッチＣ２とを備え、固定減速比を有する第１動力伝達経路Ｐ１と、第３クラッチＣ３を備え、前記固定減速比と同一方向で、かつ、前記固定減速比よりも小さな変速比を有する第２動力伝達経路Ｐ２と、前記出力部に連結し、第１，第２，第３，第４，第５回転メンバを有する変速遊星ギヤセットと、前記回転メンバを固定する第１，第２，第３ブレーキＢ１，Ｂ２，Ｂ３とを入力部と出力部との間に有する車両用多段自動変速機とした。【選択図】        図１
2005042790.tif 000002
【特許請求の範囲】
【請求項１】
少なくとも常時固定されている回転メンバを有し、３つの回転メンバで構成される減速遊星ギヤＧ１と、第１クラッチＣ１と第２クラッチＣ２とを備え、固定減速比を有する第１動力伝達経路Ｐ１と、
第３クラッチＣ３を備え、前記固定減速比と同一方向で、かつ、前記固定減速比よりも小さな変速比を有する第２動力伝達経路Ｐ２と、
前記出力部に連結し、第１，第２，第３，第４，第５回転メンバを有する変速遊星ギヤセットと、
前記回転メンバを固定する第１，第２，第３ブレーキＢ１，Ｂ２，Ｂ３と、を入力部と出力部との間に有する車両用多段自動変速機であって、
前記第１クラッチＣ１は、第１の回転メンバＳ３を選択的に前記第１の動力伝達経路Ｐ１を経由して前記入力部に連結可能とするクラッチであり、
前記第２の回転メンバＲ２は、前記出力部に連結しており、
前記第３クラッチＣ３は、第３の回転メンバＰＣ２を選択的に前記第２の動力伝達経路Ｐ２を経由して前記入力部に連結可能とするクラッチであり、
前記第１ブレーキＢ１は、第３の回転メンバＰＣ２を選択的に固定可能なブレーキであり、
前記第２のクラッチＣ２は、前記第４の回転メンバＳ２を選択的に前記第１の動力伝達経路Ｐ１を経由して前記入力部に連結可能とするクラッチであり、
前記第２ブレーキＢ２は、前記第４の回転メンバＳ２を選択的に固定可能なブレーキであり、
前記第３ブレーキＢ３は、前記第５の回転メンバＳ４を選択的に固定可能なブレーキであり、
前記変速遊星ギヤセットは、第２サンギヤＳ２、第３サンギヤＳ３及び第４サンギヤＳ４と、前記第３サンギヤＳ３に噛み合う１つの第２ピニオンＰｂ１と、該第２ピニオンＰｂ１に噛み合い、かつ、前記第２サンギヤＳ２に噛み合う大径部と前記第４サンギヤＳ４に噛み合う小径部とを有する段付き形状の第３ピニオンＰｂ２と、前記第２ピニオンＰｂ１及び前記第３ピニオンＰｂ２を支持する第２キャリヤＰＣ２と、前記第３ピニオンＰｂ２に噛み合う第２リングギヤＲ２と、を備えることを特徴とする車両用多段自動変速機。
【請求項２】
少なくとも常時固定されている回転メンバを有し、３つの回転メンバで構成される減速遊星ギヤＧ１と、第１クラッチＣ１と第２クラッチＣ２とを備え、固定減速比を有する第１動力伝達経路Ｐ１と、
第３クラッチＣ３を備え、前記固定減速比と同一方向で、かつ、前記固定減速比よりも小さな変速比を有する第２動力伝達経路Ｐ２と、
前記出力部に連結し、第１，第２，第３，第４，第５回転メンバを有する変速遊星ギヤセットと、
前記回転メンバを固定する第１，第２，第３ブレーキＢ１，Ｂ２，Ｂ３と、を入力部と出力部との間に有する車両用多段自動変速機であって、
前記第１クラッチＣ１は、第１の回転メンバＳ３を選択的に前記第１の動力伝達経路Ｐ１を経由して前記入力部に連結可能とするクラッチであり、
前記第２の回転メンバＲ２は、前記出力部に連結しており、
前記第３クラッチＣ３は、第３の回転メンバＰＣ２を選択的に前記第２の動力伝達経路Ｐ２を経由して前記入力部に連結可能とするクラッチであり、
前記第１ブレーキＢ１は、第３の回転メンバＰＣ２を選択的に固定可能なブレーキであり、
前記第２のクラッチＣ２は、前記第４の回転メンバＳ２を選択的に前記第１の動力伝達経路Ｐ１を経由して前記入力部に連結可能とするクラッチであり、
前記第２ブレーキＢ２は、前記第４の回転メンバＳ２を選択的に固定可能なブレーキであり、
前記第３ブレーキＢ３は、前記第５の回転メンバＲ３を選択的に固定可能なブレーキであり、
前記変速遊星ギヤセットは、第２サンギヤＳ２及び第３サンギヤＳ３と、前記第３サンギヤＳ３に噛み合う１つの第２ピニオンＰｂ１と、該第２ピニオンＰｂ１に噛み合い、かつ、前記第２サンギヤＳ２に噛み合う第３ピニオンＰｂ２と、前記第３ピニオンＰｂ２に噛み合う第４ピニオンＰｂ３を支持する第２キャリヤＰＣ２と、前記第３ピニオンＰｂ２に噛み合う第２リングギヤＲ２と、前記第４ピニオンＰｂ３に噛み合う第３リングギヤＲ３と、を備えることを特徴とする車両用多段自動変速機。
【請求項３】
請求項１または２に記載の車両用多段自動変速機において、前記第１クラッチＣ１と前記第１ブレーキＢ１の締結により１速、前記第１クラッチＣ１と前記第３ブレーキＢ３の締結により２速、前記第１クラッチＣ１と前記第２ブレーキＢ２の締結により３速、前記第１クラッチＣ１と前記第２クラッチＣ２の締結により４速、前記第１クラッチＣ１と前記第３クラッチＣ３の締結により５速、前記第２クラッチＣ２と前記第３クラッチＣ３の締結により６速、前記第３クラッチＣ３と前記第２ブレーキＢ２の締結により７速、前記第３クラッチＣ３と前記第３ブレーキＢ３の締結により８速、前記第２クラッチＣ２と前記第１ブレーキＢ１もしくは前記第３ブレーキＢ３の締結により後退速とし、前進８速で少なくとも後退１速を得る変速制御手段を設けたことを特徴とする車両用多段自動変速機。
【請求項４】
少なくとも常時固定されている回転メンバを有し、３つの回転メンバで構成される減速遊星ギヤＧ１と、第１クラッチＣ１と第２クラッチＣ２とを備え、固定減速比を有する第１動力伝達経路Ｐ１と、
第３クラッチＣ３を備え、前記固定減速比と同一方向で、かつ、前記固定減速比よりも小さな変速比を有する第２動力伝達経路Ｐ２と、
前記出力部に連結し、第１，第２，第３，第４，第５回転メンバを有する変速遊星ギヤセットと、
前記回転メンバを固定する第１，第２，第３ブレーキＢ１，Ｂ２，Ｂ３と、を入力部と出力部との間に有する車両用多段自動変速機であって、
前記第１クラッチＣ１を、第１の回転メンバを選択的に前記第１の動力伝達経路Ｐ１を経由して前記入力部に連結可能とするクラッチとし、
前記第２の回転メンバは、前記出力部に連結しており、
前記第３クラッチＣ３を、第３の回転メンバを選択的に前記第２の動力伝達経路Ｐ２を経由して前記入力部に連結可能とするクラッチとし、
前記第１ブレーキＢ１を、第３の回転メンバを選択的に固定可能なブレーキとし、
前記第２のクラッチＣ２を、前記第４の回転メンバを選択的に前記第１の動力伝達経路Ｐ１を経由して前記入力部に連結可能とするクラッチとし、
前記第２ブレーキＢ２を、前記第４の回転メンバを選択的に固定可能なブレーキとし、
前記第３ブレーキＢ３を、前記第５の回転メンバを選択的に固定可能なブレーキとしたことを特徴とする車両用多段自動変速機。
【発明の詳細な説明】
【０００１】
【発明の属する技術分野】
本発明は、変速段の多段化要求がある車両の変速装置として有用であり、特に自動車の駆動源出力軸に接続される自動変速機の歯車変速部に用いるのに適している車両用多段自動変速機に関する。
【０００２】
【従来の技術】
前進６速以上の変速装置を達成する技術として、特許文献１に記載の技術が開示されている。この特許文献１に記載の技術には、回転メンバのうち１つが固定された減速遊星ギヤと、ラビニオ型の遊星ギヤと、３つのクラッチと２つのブレーキとから構成される前進６速の変速装置が記載されている。また、この前進６速の変速装置に対して、クラッチＣ４を追加することで更なる多段化を図った前進８速の変速装置も記載されている。
【０００３】
【特許文献１】
特開２００１−１８２７８５号公報（第４頁下段表２，図１参照）。
【０００４】
【発明が解決しようとする課題】
しかしながら、上述の従来技術にあっては、前進６速の自動変速機を多段化する際、前進６速の変速装置の３速と４速との間に１段、前進６速の変速装置の４速と５速との間に１段を追加して各変速段をクロスレシオ化することで、前進８速の変速装置への多段化を達成しているため、多段化によって変速装置のレシオカバレッッジ（最低変速段ギヤ比／最高変速段ギヤ比）は変化しない。したがって、燃費の向上に貢献するギヤ比のワイド化を要求される今日では、上記変速装置では、共通の遊星ギヤ比を使っての前進６速から前進８速への多段化によるギヤ比のワイド化は困難である。
【０００５】
本発明は、上記問題に着目してなされたもので、その目的とするところは、ギヤ比のワイド化を図りつつ多段化を図ることが可能な車両用多段自動変速機を提供することを目的とする。
【０００６】
【課題を解決するための手段】
上述の目的を達成するため、請求項１に記載の発明では、少なくとも常時固定されている回転メンバを有し、３つの回転メンバで構成される減速遊星ギヤＧ１と、第１クラッチＣ１と第２クラッチＣ２とを備え、固定減速比を有する第１動力伝達経路Ｐ１と、第３クラッチＣ３を備え、前記固定減速比と同一方向で、かつ、前記固定減速比よりも小さな変速比を有する第２動力伝達経路Ｐ２と、前記出力部に連結し、第１，第２，第３，第４，第５回転メンバを有する変速遊星ギヤセットと、前記回転メンバを固定する第１，第２，第３ブレーキＢ１，Ｂ２，Ｂ３とを入力部と出力部との間に有する車両用多段自動変速機とした。
【０００７】
特に、変速遊星ギヤセットは、第２サンギヤＳ２、第３サンギヤＳ３及び第４サンギヤＳ４と、第３サンギヤＳ３に噛み合う１つの第２ピニオンＰｂ１と、第２ピニオンＰｂ１に噛み合い、かつ、第２サンギヤＳ２に噛み合う大径部と第４サンギヤＳ４に噛み合う小径部とを有する段付き形状の第３ピニオンＰｂ２と、第２ピニオンＰｂ１及び第３ピニオンＰｂ２を支持する第２キャリヤＰＣ２と、第３ピニオンＰｂ２に噛み合う第２リングギヤＲ２とから構成されることとした。
【０００８】
請求項２に記載の発明では、少なくとも常時固定されている回転メンバを有し、３つの回転メンバで構成される減速遊星ギヤＧ１と、第１クラッチＣ１と第２クラッチＣ２とを備え、固定減速比を有する第１動力伝達経路Ｐ１と、第３クラッチＣ３を備え、前記固定減速比と同一方向で、かつ、前記固定減速比よりも小さな変速比を有する第２動力伝達経路Ｐ２と、前記出力部に連結し、第１，第２，第３，第４，第５回転メンバを有する変速遊星ギヤセットと、前記回転メンバを固定する第１，第２，第３ブレーキＢ１，Ｂ２，Ｂ３とを入力部と出力部との間に有する車両用多段自動変速機とした。
【０００９】
特に変速遊星ギヤセットは、第２サンギヤＳ２及び第３サンギヤＳ３と、第３サンギヤＳ３に噛み合う１つの第２ピニオンＰｂ１と、第２ピニオンＰｂ１に噛み合い、かつ、第２サンギヤＳ２に噛み合う第３ピニオンＰｂ２と、第３ピニオンＰｂ２に噛み合う第４ピニオンＰｂ３を支持する第２キャリヤＰＣ２と、第３ピニオンＰｂ２に噛み合う第２リングギヤＲ２と、第４ピニオンＰｂ３に噛み合う第３リングギヤＲ３とから構成されることとした。
【００１０】
請求項３に記載の発明では、請求項１，２に記載の構成を有する車両用多段自動変速機に対し、特に、第１クラッチＣ１と第３ブレーキＢ３の締結により新たな２速を追加し、第３クラッチＣ３と第３ブレーキＢ３の締結により新たな８速を追加した。
【００１１】
請求項４に記載の発明では、少なくとも常時固定されている回転メンバを有し、３つの回転メンバで構成される減速遊星ギヤＧ１と、第１クラッチＣ１と第２クラッチＣ２とを備え、固定減速比を有する第１動力伝達経路Ｐ１と、第３クラッチＣ３を備え、前記固定減速比と同一方向で、かつ、前記固定減速比よりも小さな変速比を有する第２動力伝達経路Ｐ２と、出力部に連結し、第１，第２，第３，第４，第５回転メンバを有する変速遊星ギヤセットと、回転メンバを固定する第１，第２，第３ブレーキＢ１，Ｂ２，Ｂ３とを入力部と出力部との間に有する車両用多段自動変速機とした。
【００１２】
更に、第１クラッチＣ１を、第１の回転メンバを選択的に第１の動力伝達経路Ｐ１を経由して入力部に連結可能とするクラッチとし、第２の回転メンバは、出力部に連結しており、第３クラッチＣ３を、第３の回転メンバを選択的に第２の動力伝達経路Ｐ２を経由して入力部に連結可能とするクラッチとし、第１ブレーキＢ１を、第３の回転メンバを選択的に固定可能なブレーキとし、第２のクラッチＣ２を、第４の回転メンバを選択的に第１の動力伝達経路Ｐ１を経由して入力部に連結可能とするクラッチとし、第２ブレーキＢ２を、第４の回転メンバを選択的に固定可能なブレーキとし、第３ブレーキＢ３を、第５の回転メンバを選択的に固定可能なブレーキとした。
【００１３】
【発明の作用及び効果】
請求項１に記載の発明では、変速遊星ギヤセットに、第３ピニオンＰｂ２を段付き形状とし、この第３ピニオンＰｂ２の小径部に第４サンギヤＳ４を追加し、更に、第４サンギヤＳ４を変速機ケースに固定可能な第３ブレーキＢ３を追加した。これらの構成を追加することで、従来の前進６速の共線図に対し、変速遊星ギヤセットを、図３の共線図に示すように変更することができる。すなわち、第３ブレーキＢ３を有する（第４サンギヤＳ４）のギヤ比を、（第２サンギヤＳ２）のギヤ比と、（第２キャリヤＰＣ２）のギヤ比との間に設け、第３ブレーキＢ３の締結により、対応する前進６速の自動変速機の変速段に加えて、異なる変速比で規定することが可能となる。よって、新たな変速段として、対応する前進６速の自動変速機の１速と２速の中間に新たな２速を追加することができると共に、６速よりも増速側に新たな変速段（８速）を追加することができる。
【００１４】
従って、従来の変速装置と共通の遊星ギヤ比を使っての６速から８速への多段化によるギヤ比のワイド化を達成することができる。
【００１５】
また、車両用多段自動変速機の入力側にロックアップクラッチを有するトルクコンバータを備えた場合、従来の１速と２速のギヤ比の関係よりも本願発明の１速と２速のギヤ比の関係はクロスレシオとなる。よって、変速時のエンジン回転数差が小さくなり、これに伴いロックアップ領域を拡大することが可能となり、燃費の向上を図ることができる。
【００１６】
請求項２に記載の発明では、変速遊星ギヤセットに、第２キャリヤＰＣ２によって支持される第４ピニオンＰｂ３を追加し、更に、第４ピニオンＰｂ３の外周側に第３リングギヤＲ３を追加し、この第３リングギヤＲ３を変速機ケースに固定可能な第３ブレーキＢ３を追加した。これらの構成を追加することで、対応する前進６速の共線図に対し、変速遊星ギヤセットを、図９の共線図に示すように変更することができる。すなわち、第３ブレーキＢ３を有する（第３リングギヤＲ３）のギヤ比を、（第２サンギヤＳ２）のギヤ比と、（第２キャリヤＰＣ２）のギヤ比との間に設け、第３ブレーキＢ３の締結により、従来の変速段に加えて、異なる変速比で規定することが可能となる。よって、請求項１に記載の発明と同様の作用効果を得ることができる。
【００１７】
請求項４に記載の発明では、対応する前進６速の共線図に対し、変速遊星ギヤセットに回転メンバ及び第３ブレーキＢ３を追加することとした。すなわち、第３ブレーキＢ３を有する追加された回転メンバのギヤ比を、（第２サンギヤＳ２）のギヤ比と、（第２キャリヤＰＣ２）のギヤ比との間に設け、第３ブレーキＢ３の締結により、対応する前進６速の自動変速機の変速段に加えて、異なる変速比で規定することが可能となる。よって、新たな変速段として、対応する前進６速の自動変速機の１速と２速の中間に新たな２速を追加することができると共に、対応する前進６速の自動変速機の６速よりも増速側に新たな変速段（８速）を追加することができる。
【００１８】
従って、対応する前進６速の自動変速機の変速装置と共通の遊星ギヤ比を使っての６速から８速への多段化によるギヤ比のワイド化を達成することができる。
【００１９】
【発明の実施の形態】
以下、本発明の車両用多段自動変速機を実現する第１実施例と第２実施例を、添付図面に基づいて説明する。
【００２０】
（第１実施例）
まず、構成を説明する。第１実施例は、請求項１，３，４に記載の発明に対応する車両用多段自動変速機で、図１は第１実施例の車両用多段自動変速機を示すスケルトン図である。
【００２１】
第１実施例の車両用多段自動変速機は、図１の左端部に減速装置としてのシングルピニオン型の第１遊星ギヤＧ１（特許請求の範囲に記載の減速遊星ギヤに相当）を配置し、軸方向に並列に変速遊星ギヤセットを配置した例である。
【００２２】
第１遊星ギヤＧ１は、第１サンギヤＳ１と、第１リングギヤＲ１と、両ギヤＳ１，Ｒ１に噛み合う第１ピニオンＰ１を支持する第１キャリヤＰＣ１と、を有する減速装置としてのシングルピニオン型遊星ギヤである。
【００２３】
変速遊星ギヤセットは、第２サンギヤＳ２、第３サンギヤＳ３及び第４サンギヤＳ４と、第２及び第４サンギヤＳ２，Ｓ４の各々に噛み合う段付き形状の第３ピニオンＰｂ２と、この第３のピニオンＰｂ２に噛み合う第２ピニオンＰｂ１とを支持する第２キャリヤＰＣ２と、第３ピニオンＰｂ２に噛み合う第２リングギヤＲ２と、を有する遊星ギヤである。第３ピニオンＰｂ２の小径部には第４サンギヤが噛み合い、第３ピニオンＰｂ２の大径部には第２サンギヤＳ２が噛み合うと共に、第２ピニオンＰｂ１が噛み合い、この第２ピニオンＰｂ１と第３サンギヤＳ３が噛み合っている。
【００２４】
この変速遊星ギヤセットは、５つの回転メンバを有している。第１回転メンバは第３サンギヤＳ３と一体に回転するメンバである。第２回転メンバは第２リングギヤＲ２と一体に回転するメンバであり、出力ギヤＯｕｔｐｕｔと連結されている。第３回転メンバは第２キャリヤＰＣ２と一体的に連結するメンバである。第４回転メンバは第２サンギヤＳ２と一体に回転するメンバである。第５回転メンバは第４サンギヤＳ４と一体に回転するメンバである。
【００２５】
入力軸Ｉｎｐｕｔは、第１リングギヤＲ１に連結され、駆動源である図外のエンジンからの回転駆動力を、トルクコンバータ等を介して入力する。
【００２６】
出力ギヤＯｕｔｐｕｔは、第２リングギヤＲ２に連結され、出力回転駆動力を図外のファイナルギヤ等を介して駆動輪に伝達する。
【００２７】
第１クラッチＣ１は、第１キャリヤＰＣ１と第３サンギヤＳ３（第１回転メンバ）とを選択的に断接するクラッチである。
【００２８】
第２クラッチＣ２は、第１キャリヤＰＣ１と第２サンギヤＳ２（第４回転メンバ）とを選択的に断接するクラッチである。
【００２９】
第３クラッチＣ３は、入力軸Ｉｎｐｕｔと第２キャリヤＰＣ２（第３回転メンバ）とを選択的に断接するクラッチである。
【００３０】
第１ブレーキＢ１は、第２キャリヤＰＣ２（第３回転メンバ）の回転を選択的に停止させるブレーキである。
【００３１】
第２ブレーキＢ２は、第２サンギヤＳ２（第４回転メンバ）の回転を選択的に停止させるブレーキである。
【００３２】
第３ブレーキＢ３は、第４サンギヤＳ４（第５回転メンバ）の回転を選択的に停止させるブレーキである。
【００３３】
前記各クラッチＣ１，Ｃ２，Ｃ３及びブレーキＢ１，Ｂ２，Ｂ３には、図２の締結作動表に示すように、各変速段にて締結圧（○印）や解放圧（無印）を作り出す図外の変速油圧制御装置（変速制御手段）が接続されている。尚、変速油圧制御装置としては、油圧制御タイプ，電子制御タイプ，油圧＋電子制御タイプ等が採用される。
【００３４】
次に、作用を説明する。
〔変速作用〕
図２は第１実施例の車両用多段自動変速機での締結作動表を示す図、図３は第１実施例の車両用多段自動変速機において各変速段におけるメンバの回転停止状態を示す共線図、図４〜図６は第１実施例の車両用多段自動変速機の各変速段でのトルクフローを示す図である。図３において、太線は第１遊星ギヤＧ１の共線図、中線は変速遊星ギヤセットの共線図である。図４〜図６において、クラッチ・ブレーキ・メンバのトルク伝達経路は太線で示し、ギヤのトルク伝達経路はハッチングで示す。
【００３５】
〈１速〉
１速は、図２に示すように、第１クラッチＣ１と第１ブレーキＢ１の締結により得られる。
【００３６】
この１速では、変速遊星ギヤセットにおいて、第１クラッチＣ１の締結により、第１遊星ギヤＧ１からの減速回転が第３サンギヤＳ３に入力される。また、第１ブレーキＢ１の締結により第２キャリヤＰＣ２が固定される。よって、第３サンギヤＳ３，第２ピニオンＰｂ１，第３ピニオンＰｂ２，第２リングギヤＲ２で構成されるダブルピニオン型の遊星ギヤとみなせる構成となり、第１遊星ギヤＧ１によって減速された回転が第３サンギヤＳ３に入力され、第３サンギヤＳ３の回転を更に減速した回転が第２リングギヤＲ２から出力ギヤＯｕｔｐｕｔへ出力される。
【００３７】
すなわち、１速は、図３の共線図に示すように、第１遊星ギヤＧ１からの減速回転を第３サンギヤＳ３への入力回転とする第１クラッチＣ１の締結点と、第２キャリヤＰＣ２の回転を停止する第１ブレーキＢ１の締結点とを結ぶ線にて規定され、入力軸Ｉｎｐｕｔから入力された回転を減速して出力ギヤＯｕｔｐｕｔから出力する。
【００３８】
この１速でのトルクフローは、図４（ａ）に示す通りであり、太線で示す第１クラッチＣ１と第１ブレーキＢ１と各メンバと、ハッチングで示す第１遊星ギヤＧ１と変速遊星ギヤセット（第４サンギヤＳ４，第２サンギヤＳ２を除く）にトルクが作用し、第１遊星ギヤＧ１と、変速遊星ギヤセットがトルク伝達に関与する。
【００３９】
〈２速〉
２速は、図２に示すように、１速での第１ブレーキＢ１を解放し、第３ブレーキＢ３を締結する、つまり、第１クラッチＣ１と第３ブレーキＢ３とを締結することにより得られる。
【００４０】
この２速では、変速遊星ギヤセットにおいて、第１クラッチＣ１の締結により、第１遊星ギヤＧ１からの減速回転が第３サンギヤＳ３に入力される。また、第３ブレーキＢ３の締結により第３ピニオンＰｂ２の小径部と噛み合う第４サンギヤＳ４が固定される。よって、第３サンギヤＳ３，第２ピニオンＰｂ１，第３ピニオンＰｂ２，第２リングギヤＲ２で構成されるダブルピニオン型の遊星ギヤとみなした場合、第３ピニオンＰｂ２が段付き形状の大径部と小径部の間に発生するギヤ比分、若干回転する構成となり、第１遊星ギヤＧ１によって減速された回転が第３サンギヤＳ３に入力され、第３サンギヤＳ３の回転を更に減速（１速より増速）した回転が第２リングギヤＲ２から出力ギヤＯｕｔｐｕｔへ出力される。
【００４１】
すなわち、２速は、図３の共線図に示すように、第１遊星ギヤＧ１からの減速回転を第３サンギヤＳ３への入力回転とする第１クラッチＣ１の締結点と、第４サンギヤＳ４の回転を停止する第３ブレーキＢ３の締結点とを結ぶ線にて規定され、入力軸Ｉｎｐｕｔから入力された回転を減速して出力ギヤＯｕｔｐｕｔから出力する。
【００４２】
この２速でのトルクフローは、図４（ｂ）に示す通りであり、太線で示す第１クラッチＣ１と第３ブレーキＢ３と各メンバと、ハッチングで示す第１遊星ギヤＧ１と変速遊星ギヤセット（第２サンギヤＳ２を除く）にトルクが作用し、第１遊星ギヤＧ１と、変速遊星ギヤセットがトルク伝達に関与する。
【００４３】
〈３速〉
３速は、図２に示すように、２速での第３ブレーキＢ３を解放し、第２ブレーキＢ２を締結する、つまり、第１クラッチＣ１と第２ブレーキＢ２とを締結することにより得られる。
【００４４】
この３速では、変速遊星ギヤセットにおいて、第１クラッチＣ１の締結により、第１遊星ギヤＧ１からの減速回転が第３サンギヤＳ３に入力される。また、第２ブレーキＢ２の締結により第２サンギヤＳ２が固定される。よって、第２サンギヤＳ２，第３ピニオンＰｂ２（大径部），第２リングギヤＲ２で構成されるシングルピニオン型の遊星ギヤとみなせる構成において、第２キャリヤＰＣ２の回転が規定される。一方、第３サンギヤＳ３，第２ピニオンＰｂ１，第３ピニオンＰｂ２，第２リングギヤＲ２で構成されるダブルピニオン型の遊星ギヤとみなした場合、第１遊星ギヤＧ１によって減速された回転が第３サンギヤＳ３に入力され、第３サンギヤＳ３の回転を更に減速（２速より増速）した回転が第２リングギヤＲ２から出力ギヤＯｕｔｐｕｔへ出力される。
【００４５】
すなわち、３速は、図３の共線図に示すように、第１遊星ギヤＧ１からの減速回転を第３サンギヤＳ３への入力回転とする第１クラッチＣ１の締結点と、第２サンギヤＳ２の回転を停止する第２ブレーキＢ２の締結点とを結ぶ線にて規定され、入力軸Ｉｎｐｕｔから入力された回転を減速（２速よりも高速）として出力ギヤＯｕｔｐｕｔから出力する。
【００４６】
この３速でのトルクフローは、図４（ｃ）に示す通りであり、太線で示す第１クラッチＣ１と第２ブレーキＢ２と各メンバと、ハッチングで示す第１遊星ギヤＧ１及び変速遊星ギヤセット（第４サンギヤＳ４を除く）にトルクが作用する。
【００４７】
〈４速〉
４速は、図２に示すように、３速での第２ブレーキＢ２を解放し、第２クラッチＣ２を締結すること、つまり、第１クラッチＣ１と第２クラッチＣ２を締結することにより得られる。
【００４８】
この４速では、変速遊星ギヤセットにおいて、第１クラッチＣ１の締結により、第１遊星ギヤＧ１からの減速回転が第３サンギヤＳ３に入力される。また、第２クラッチＣ２の締結により第２サンギヤＳ２にも第３サンギヤＳ３と同じ回転が入力される。よって、第１遊星ギヤＧ１によって減速された回転が第２サンギヤＳ２及び第３サンギヤＳ３に入力され、変速遊星ギヤセットが一体となって回転する。すなわち、第１遊星ギヤＧ１によって減速された回転が第２リングギヤＲ２から出力ギヤＯｕｔｐｕｔへ出力される。
【００４９】
すなわち、４速は、図３の共線図に示すように、第１遊星ギヤＧ１からの減速回転を第３サンギヤＳ３への入力回転とする第１クラッチＣ１の締結点と、第１遊星ギヤＧ１からの減速回転を第２サンギヤＳ２への入力回転とする第２クラッチＣ２の締結点と、を結ぶ線にて規定され、入力軸Ｉｎｐｕｔから入力された回転を減速（＝第１遊星ギヤＧ１の減速比）して出力ギヤＯｕｔｐｕｔから出力する。
【００５０】
この４速でのトルクフローは、図５（ａ）に示す通りであり、太線で示す第１クラッチＣ１と第２クラッチＣ２と各メンバと、ハッチングで示す第１遊星ギヤＧ１及び変速遊星ギヤセット（第４サンギヤＳ４を除く）にトルクが作用する。
【００５１】
〈５速〉
５速は、図２に示すように、４速での第２クラッチＣ２を解放し、第３クラッチＣ３を締結すること、つまり、第１クラッチＣ１と第３クラッチＣ３を締結することにより得られる。
【００５２】
この５速では、変速遊星ギヤセットにおいて、第１クラッチＣ１の締結により、第１遊星ギヤＧ１からの減速回転が第３サンギヤＳ３に入力される。また、第３クラッチＣ３の締結により第２キャリヤＰＣ２に第１遊星ギヤＧ１からの減速回転が入力される。よって、第３サンギヤＳ３，第２ピニオンＰｂ１，第３ピニオンＰｂ２，第２リングギヤＲ２で構成されるダブルピニオン型遊星ギヤとみなした場合、第３サンギヤＳ３に入力される回転よりも大きな回転が第２キャリヤＰＣ２に入力され、第３サンギヤＳ３の回転と第２キャリヤＰＣ２の回転の間の回転が第２リングギヤＲ２から出力ギヤＯｕｔｐｕｔへ出力される。
【００５３】
すなわち、５速は、図３の共線図に示すように、第１遊星ギヤＧ１からの減速回転を第３サンギヤＳ３への入力回転とする第１クラッチＣ１の締結点と、第２キャリヤＰＣ２の回転を入力回転とする第３クラッチＣ３の締結点と、を結ぶ線にて規定され、入力軸Ｉｎｐｕｔから入力された回転を僅かに減速して出力ギヤＯｕｔｐｕｔから出力する。
【００５４】
この５速でのトルクフローは、図５（ｂ）に示す通りであり、太線で示す第１クラッチＣ１と第３クラッチＣ３と各メンバと、ハッチングで示す第１遊星ギヤＧ１と変速遊星ギヤセット（第４サンギヤＳ４，第２サンギヤＳ２を除く）にトルクが作用することになる。
【００５５】
（６速）
６速は、図２に示すように、５速での第１クラッチＣ１を解放し、第２クラッチＣ２を締結する、つまり、第２クラッチＣ２と第３クラッチＣ３を締結することにより得られる。
【００５６】
この６速では、第２クラッチＣ２の締結により、第１遊星ギヤＧ１からの減速回転が第２サンギヤＳ２に入力される。同時に、第３クラッチＣ３の締結により、入力軸Ｉｎｐｕｔからの入力回転が第２キャリヤＰＣ２に入力される。
【００５７】
よって、第２サンギヤＳ２，第３ピニオンＰｂ２，第２リングギヤＲ２から構成されるシングルピニオン型遊星ギヤとみなした場合、第２サンギヤＳ２に入力される減速された回転と、第２キャリヤＰＣ２に入力される入力回転とによって規定される増速回転が第２リングギヤＲ２から出力ギヤＯｕｔｐｕｔに出力される。
【００５８】
すなわち、６速は、図３の共線図に示すように、第１遊星ギヤＧ１からの減速回転を第２サンギヤＳ２への入力回転とする第２クラッチＣ２の締結点と、第２キャリヤＰＣ２の回転を入力回転とする第３クラッチＣ３の締結点と、を結ぶ線にて規定され、入力軸Ｉｎｐｕｔから入力された回転を僅かに増速して出力ギヤＯｕｔｐｕｔから出力する。
【００５９】
この６速でのトルクフローは、図５（ｃ）に示す通りであり、太線で示す第２クラッチＣ２と第３クラッチＣ３と各メンバと、ハッチングで示す第１遊星ギヤＧ１と変速遊星ギヤセット（第３サンギヤＳ３，第４サンギヤＳ４，第２ピニオンＰｂ１を除く）にトルクが作用することになる。
【００６０】
（７速）
７速は、図２に示すように、６速での第２クラッチＣ２を解放し、第２ブレーキＢ２を締結する、つまり、第３クラッチＣ３と第２ブレーキＢ２を締結することにより得られる。
【００６１】
この７速では、第３クラッチＣ３の締結により、入力軸Ｉｎｐｕｔからの入力回転が第２キャリヤＰＣ２に入力される。また、第２ブレーキＢ２の締結により、第２サンギヤＳ２がケースに固定される。
【００６２】
よって、第２サンギヤＳ２，第３ピニオンＰｂ２，第２リングギヤＲ２から構成されるシングルピニオン型遊星ギヤとみなした場合、第２キャリヤＰＣ２に入力される入力回転によって規定される増速回転が第２リングギヤＲ２から出力ギヤＯｕｔｐｕｔに出力される。
【００６３】
すなわち、７速は、図３の共線図に示すように、第２キャリヤＰＣ２の回転を入力回転とする第３クラッチＣ３の締結点と、第２サンギヤＳ２をケースに固定とする第２ブレーキＢ２の締結点と、を結ぶ線にて規定され、入力軸Ｉｎｐｕｔから入力された回転を増速して出力ギヤＯｕｔｐｕｔから出力する。
【００６４】
この７速でのトルクフローは、図６（ａ）に示す通りであり、太線で示す第３クラッチＣ３と第２ブレーキＢ２と各メンバと、ハッチングで示す変速遊星ギヤセット（第２サンギヤＳ２，第２ピニオンＰｂ１，第３サンギヤＳ３を除く）にトルクが作用することになる。
【００６５】
（８速）
８速は、図２に示すように、７速での第２ブレーキＢ２を解放し、第３ブレーキＢ３を締結する、つまり、第３クラッチＣ３と第３ブレーキＢ３を締結することにより得られる。
【００６６】
この８速では、第３クラッチＣ３の締結により、入力軸Ｉｎｐｕｔからの入力回転が第２キャリヤＰＣ２に入力される。また、第３ブレーキＢ３の締結により、第４サンギヤＳ４がケースに固定される。
【００６７】
よって、第４サンギヤＳ４，第３ピニオンＰｂ２，第２リングギヤＲ２から構成されるシングルピニオン型遊星ギヤとみなした場合、第２キャリヤＰＣ２に入力される入力回転によって規定される増速回転が第２リングギヤＲ２から出力ギヤＯｕｔｐｕｔに出力される。尚、第４サンギヤＳ４は第３ピニオンＰｂ２の小径部と噛み合っているため、この分、７速よりも増速側となる。
【００６８】
すなわち、８速は、図３の共線図に示すように、第２キャリヤＰＣ２の回転を入力回転とする第３クラッチＣ３の締結点と、第４サンギヤＳ４をケースに固定とする第３ブレーキＢ３の締結点と、を結ぶ線にて規定され、入力軸Ｉｎｐｕｔから入力された回転を増速して出力ギヤＯｕｔｐｕｔから出力する。
【００６９】
この８速でのトルクフローは、図６（ｂ）に示す通りであり、太線で示す第３クラッチＣ３と第３ブレーキＢ３と各メンバと、ハッチングで示す変速遊星ギヤセット（第２サンギヤＳ２，第３サンギヤＳ３，第２ピニオンＰｂ２を除く）にトルクが作用することになる。
【００７０】
（後退１速）
後退１速は、図２に示すように、第２クラッチＣ２と第１ブレーキＢ１を締結することにより得られる。
【００７１】
この後退１速では、第２クラッチＣ２の締結により、第１遊星ギヤＧ１からの減速回転が第２サンギヤＳ２に入力される。一方、第１ブレーキＢ１の締結により、第２キャリヤＰＣ２がケースに固定される。
【００７２】
よって、第２サンギヤＳ２，第３ピニオンＰｂ２，第２リングギヤＲ２から構成されるシングルピニオン型遊星ギヤとみなした場合、第２キャリヤＰＣ２が固定されており、第２サンギヤＳ２に入力される減速された回転と逆回転が第２リングギヤＲ２から出力ギヤＯｕｔｐｕｔに出力される。
【００７３】
すなわち、後退１速は、図３の共線図に示すように、第１遊星ギヤＧ１からの減速回転を第２サンギヤＳ２への入力回転とする第２クラッチＣ２の締結点と、第２キャリヤＰＣ２の回転を停止する第１ブレーキＢ１の締結点とを結ぶ線にて規定され、入力軸Ｉｎｐｕｔから入力された回転を逆方向に減速して出力ギヤＯｕｔｐｕｔから出力する。
【００７４】
この後退１速でのトルクフローは、図７（ａ）に示す通りであり、太線で示す第２クラッチＣ２と第１ブレーキＢ１と各メンバと、ハッチングで示す第１遊星ギヤＧ１と変速遊星ギヤセット（第４サンギヤＳ４，第２ピニオンＰｂ１，第３サンギヤＳ３を除く）にトルクが作用することになる。
【００７５】
（後退２速）
後退２速は、図２に示すように、第２クラッチＣ２と第３ブレーキＢ３を締結することにより得られる。
【００７６】
この後退２速では、第２クラッチＣ２の締結により、第１遊星ギヤＧ１からの減速回転が第２サンギヤＳ２に入力される。一方、第３ブレーキＢ３の締結により、第４サンギヤＳ４がケースに固定される。
【００７７】
よって、変速遊星ギヤセットにおいて、第２クラッチＣ２の締結により、第１遊星ギヤＧ１からの減速回転が第２サンギヤＳ２に入力される。また、第３ブレーキＢ３の締結により第３ピニオンＰｂ２の小径部と噛み合う第４サンギヤＳ４が固定される。よって、第２サンギヤＳ２，第３ピニオンＰｂ２，第２リングギヤＲ２で構成されるシングルピニオン型の遊星ギヤとみなした場合、第３ピニオンＰｂ２が段付き形状の大径部と小径部の間に発生するギヤ比分、若干回転する構成となり、第１遊星ギヤＧ１によって減速された回転が第２サンギヤＳ２に入力され、第２サンギヤＳ２の回転と逆回転（１速より増速）が第２リングギヤＲ２から出力ギヤＯｕｔｐｕｔへ出力される。
【００７８】
すなわち、後退２速は、図３の共線図に示すように、第１遊星ギヤＧ１からの減速回転を第２サンギヤＳ２への入力回転とする第２クラッチＣ２の締結点と、第４リングギヤＲ４の回転を停止する第３ブレーキＢ３の締結点とを結ぶ線にて規定され、入力軸Ｉｎｐｕｔから入力された回転を逆方向に減速して出力ギヤＯｕｔｐｕｔから出力する。
【００７９】
この後退２速でのトルクフローは、図７（ｂ）に示す通りであり、太線で示す第２クラッチＣ２と第３ブレーキＢ３と各メンバと、ハッチングで示す第１遊星ギヤＧ１と変速遊星ギヤセット（第３サンギヤＳ３，第２ピニオンＰｂ１を除く）にトルクが作用することになる。
【００８０】
（第１実施例の作用及び効果）
次に、第１実施例の自動変速機に対応する前進６速タイプの自動変速機について図１４を用いて説明する。尚、共通の構成については、同一の符合を付して、違いについてのみ説明する。
【００８１】
第１実施例の車両用多段自動変速機では、第２サンギヤＳ２、第３サンギヤＳ３及び第４サンギヤＳ４と、第２及び第４サンギヤＳ２，Ｓ４の各々に噛み合う段付き形状の第３ピニオンＰｂ２と、この第３のピニオンＰｂ２に噛み合う第２ピニオンＰｂ１とを支持する第２キャリヤＰＣ２と、第３ピニオンＰｂ２に噛み合う第２リングギヤＲ２と、を有する遊星ギヤである。これに対し、図１４に示す前進６速タイプの車両用多段自動変速機は、変速遊星ギヤセットに、第３ピニオンＰｂ２を大径部と小径部を有する段付き形状の第３ピニオンＰｂ２と、この小径部と噛み合う第４サンギヤＳ４を有していないダブルサンギヤ型遊星ギヤであるところが異なっている。
【００８２】
言い換えれば、図１４の前進６速タイプの車両用多段自動変速機から第１実施例の前進８速の車両用多段自動変速機に多段化するためには、第３ピニオンＰｂ２を大径部と小径部を有する段付き形状とし、この小径部と噛み合う第４サンギヤＳ４と、第４サンギヤＳ４を選択的に停止する第３ブレーキＢ３を単純に追加すればよい。
【００８３】
これらの構成を追加することで、下記に列挙する効果が得られる。
【００８４】
（１）  図２の締結表に示すように、第１クラッチＣ１と第３ブレーキＢ３の締結により、対応する前進６速の自動変速機の１速と２速との間であって、かつ、減速比としても対応する前進６速の自動変速機の１速と２速の中間となる変速段を追加することが可能となる。更に、第３クラッチＣ３と第３ブレーキＢ３の締結により、対応する前進６速の自動変速機の６速よりも増速側の変速段を追加することが可能となる。
従って、対応する前進６速の自動変速機と共通の遊星ギヤ比を使っての６速から８速への多段化を達成すると共に、それぞれの変速段で適切な変速比を設定することができる。更に、最高変速段の追加によってレシオカバレッジが広がり、多段化の目的である燃費の向上を達成することができる。特に、図２の締結表に記載したように、対応する前進６速の自動変速機のレシオカバレッジが６．３５であったのに対し、本願発明では、レシオカバレッジが８．１３と飛躍的に向上しているのが分かる。
【００８５】
（２）  対応する６速タイプの車両用多段自動変速機に対し、特にトルク変動の大きな１速と２速との間に中間変速段となる新たな２速を追加することになるため、トルク変動を抑制して変速ショックを良好に低減するにも好適な車両用多段自動変速機を提供することができる。特に、図２の締結表に記載したように、対応する前進６速タイプにおける１速と２速の間のギヤ比の差が２．０９であったのに対し、第１実施例では、１速と２速の間の減速比の差が１．６３、２速と３速の間の減速比の差が０．４６となり、スムーズな１→２変速を達成可能としているのが分かる（請求項１，３に対応）。
また、１速と２速との間に中間変速段となる新たな２速を追加することになるため、ロックアップ領域限界車速を低車速側に拡大することが可能となり、燃費を更に向上できるという副次的な効果も得られる。すなわち、１速というのは車両停止時から低車速までの変速段であり、フェールセーフの観点からロックアップを行わないのが一般的である。つまり、通常は上記限界車速は２速が限界車速となり、これを低車速側にすればする程、言い換えれば、２速のギヤ比を大きくするほど、限界車速を低車速化できて、燃費の向上を図れるのである。
【００８６】
（３）  第２クラッチＣ２と第３ブレーキＢ３の締結により、後退変速段として低速側の後退速に加え、この後退速よりも増速側の後退速も新たに追加することが可能となる（請求項１，３に対応）。
【００８７】
（第２実施例）
第２実施例は、請求項２，３，４に記載の発明に対応する車両用多段自動変速機である。
まず、構成を説明する。
図８は第２実施例の車両用多段自動変速機を示すスケルトン図である。第２実施例の車両用多段自動変速機は、図８の左端部に減速装置としての第１遊星ギヤＧ１を配置し、軸方向に並列に変速遊星ギヤセットを配置した例である。
【００８８】
前記第１遊星ギヤＧ１は、第１サンギヤＳ１と、第１リングギヤＲ１と、両ギヤＳ１，Ｒ１に噛み合うピニオンＰ１を支持する第１キャリヤＰＣ１と、を有する減速装置としてのシングルピニオン型遊星ギヤである。
【００８９】
変速遊星ギヤセットは、第２サンギヤＳ２及び第３サンギヤＳ３と、第３ピニオンＰｂ２と、この第３ピニオンＰｂ２に噛み合う第２リングギヤＲ２と、第３のピニオンＰｂ２に噛み合う第２ピニオンＰｂ１とを支持する第２キャリヤＰＣ２と、第３ピニオンＰｂ２に噛み合う第４ピニオンＰｂ３と、この第４ピニオンＰｂ３と噛み合う第３リングギヤＲ３と、を有する遊星ギヤである。第１実施例では、第３ピニオンＰｂ２が段付き形状を有する構成であるのに対し、第２実施例では同一径のピニオンギヤとしている。
【００９０】
この変速遊星ギヤセットは、５つの回転メンバを有している。第１回転メンバは第３サンギヤＳ３と一体に回転するメンバである。第２回転メンバは第２リングギヤＲ２と一体に回転するメンバであり、出力ギヤＯｕｔｐｕｔと連結されている。第３回転メンバは第２キャリヤＰＣ２と一体的に連結するメンバである。第４回転メンバは第２サンギヤＳ２と一体に回転するメンバである。第５回転メンバは第３リングギヤＲ３と一体に回転するメンバである。
【００９１】
前記入力軸Ｉｎｐｕｔは、第１キャリヤＰＣ１に連結され、駆動源である図外のエンジンからの回転駆動力を、トルクコンバータ等を介して入力する。入力された回転は、第１リングギヤＲ１から第１クラッチＣ１及び第２クラッチＣ２を介して変速遊星ギヤセットに出力される。
【００９２】
次に、作用を説明する。
［変速作用］
図９は第２実施例の車両用多段自動変速機において各変速段におけるメンバの回転停止状態を示す共線図、図１０〜図１３は第２実施例の各変速段でのトルクフローを示す図である。
【００９３】
なお、図１０〜図１３においてクラッチ・ブレーキ・メンバのトルク伝達経路は太線で示し、ギヤのトルク伝達経路はハッチングで示す。
【００９４】
〈１速〉
１速は、図２に示すように、第１クラッチＣ１と第１ブレーキＢ１の締結により得られる。
【００９５】
この１速では、変速遊星ギヤセットにおいて、第１クラッチＣ１の締結により、第１遊星ギヤＧ１からの減速回転が第３サンギヤＳ３に入力される。また、第１ブレーキＢ１の締結により第２キャリヤＰＣ２が固定される。よって、第３サンギヤＳ３，第２ピニオンＰｂ１，第３ピニオンＰｂ２，第２リングギヤＲ２で構成されるダブルピニオン型の遊星ギヤとみなせる構成となり、第１遊星ギヤＧ１によって減速された回転が第３サンギヤＳ３に入力され、第３サンギヤＳ３の回転を更に減速した回転が第２リングギヤＲ２から出力ギヤＯｕｔｐｕｔへ出力される。
【００９６】
すなわち、１速は、図９の共線図に示すように、第１遊星ギヤＧ１からの減速回転を第２リングギヤＲ２への入力回転とする第１クラッチＣ１の締結点と、第２キャリヤＰＣ２の回転を停止する第１ブレーキＢ１の締結点とを結ぶ線にて規定され、入力軸Ｉｎｐｕｔから入力された回転を減速して出力ギヤＯｕｔｐｕｔから出力する。
【００９７】
この１速でのトルクフローは、図１０（ａ）に示す通りであり、太線で示す第１クラッチＣ１と第１ブレーキＢ１と各メンバと、ハッチングで示す第１遊星ギヤＧ１と変速遊星ギヤセット（第２サンギヤＳ２，第４ピニオンＰｂ３，第３リングギヤＲ３を除く）にトルクが作用し、トルク伝達に関与する。
【００９８】
〈２速〉
２速は、図２に示すように、１速での第１ブレーキＢ１を解放し、第３ブレーキＢ３を締結する、つまり、第１クラッチＣ１と第３ブレーキＢ３とを締結することにより得られる。
【００９９】
この２速では、変速遊星ギヤセットにおいて、第１クラッチＣ１の締結により、第１遊星ギヤＧ１からの減速回転が第３サンギヤＳ３に入力される。また、第３ブレーキＢ３の締結により第３リングギヤＲ３が固定される。よって、第３リングギヤＲ３の固定によって第３ピニオンＰｂ２の回転が規定され、第３サンギヤＳ３，第２ピニオンＰｂ１，第３ピニオンＰｂ２，第２リングギヤＲ２で構成されるダブルピニオン型の遊星ギヤとみなした場合、第３ピニオンＰｂ２が１速に比べて若干回転する構成となり、第１遊星ギヤＧ１によって減速された回転が第３サンギヤＳ３に入力され、第３サンギヤＳ３の回転を更に減速（１速より増速）した回転が第２リングギヤＲ２から出力ギヤＯｕｔｐｕｔへ出力される。
【０１００】
すなわち、２速は、図９の共線図に示すように、第１遊星ギヤＧ１からの減速回転を第３サンギヤＳ３への入力回転とする第１クラッチＣ１の締結点と、第３リングギヤＲ３の回転を停止する第３ブレーキＢ３の締結点とを結ぶ線にて規定され、入力軸Ｉｎｐｕｔから入力された回転を減速して出力ギヤＯｕｔｐｕｔから出力する。
【０１０１】
この２速でのトルクフローは、図１０（ｂ）に示す通りであり、太線で示す第１クラッチＣ１と第３ブレーキＢ３と各メンバと、ハッチングで示す第１遊星ギヤＧ１と変速遊星ギヤセット（第２サンギヤＳ２を除く）にトルクが作用し、第１遊星ギヤＧ１と、変速遊星ギヤセットがトルク伝達に関与する。
【０１０２】
〈３速〉
３速は、図２に示すように、２速での第３ブレーキＢ３を解放し、第２ブレーキＢ２を締結する、つまり、第１クラッチＣ１と第２ブレーキＢ２とを締結することにより得られる。
【０１０３】
この３速では、変速遊星ギヤセットにおいて、第１クラッチＣ１の締結により、第１遊星ギヤＧ１からの減速回転が第３サンギヤＳ３に入力される。また、第２ブレーキＢ２の締結により第２サンギヤＳ２が固定される。よって、第２サンギヤＳ２，第３ピニオンＰｂ２，第２リングギヤＲ２で構成されるシングルピニオン型の遊星ギヤとみなせる構成において、第２キャリヤＰＣ２の回転が規定される。一方、第３サンギヤＳ３，第２ピニオンＰｂ１，第３ピニオンＰｂ２，第２リングギヤＲ２で構成されるダブルピニオン型の遊星ギヤとみなした場合、第１遊星ギヤＧ１によって減速された回転が第３サンギヤＳ３に入力され、第３サンギヤＳ３の回転を更に減速（２速より増速）した回転が第２リングギヤＲ２から出力ギヤＯｕｔｐｕｔへ出力される。
【０１０４】
すなわち、３速は、図９の共線図に示すように、第１遊星ギヤＧ１からの減速回転を第３サンギヤＳ３への入力回転とする第１クラッチＣ１の締結点と、第２サンギヤＳ２の回転を停止する第２ブレーキＢ２の締結点とを結ぶ線にて規定され、入力軸Ｉｎｐｕｔから入力された回転を減速（２速よりも高速）として出力ギヤＯｕｔｐｕｔから出力する。
【０１０５】
この３速でのトルクフローは、図１０（ｃ）に示す通りであり、太線で示す第１クラッチＣ１と第２ブレーキＢ２と各メンバと、ハッチングで示す第１遊星ギヤＧ１及び変速遊星ギヤセット（第４ピニオンＰｂ３，第３リングギヤＲ３を除く）にトルクが作用する。
【０１０６】
〈４速〉
４速は、図２に示すように、３速での第２ブレーキＢ２を解放し、第２クラッチＣ２を締結すること、つまり、第１クラッチＣ１と第２クラッチＣ２を締結することにより得られる。
【０１０７】
この４速では、変速遊星ギヤセットにおいて、第１クラッチＣ１の締結により、第１遊星ギヤＧ１からの減速回転が第３サンギヤＳ３に入力される。また、第２クラッチＣ２の締結により第２サンギヤＳ２にも第３サンギヤＳ３と同じ回転が入力される。よって、第１遊星ギヤＧ１によって減速された回転が第２サンギヤＳ２及び第３サンギヤＳ３に入力され、変速遊星ギヤセットが一体となって回転する。すなわち、第１遊星ギヤＧ１によって減速された回転が第２リングギヤＲ２から出力ギヤＯｕｔｐｕｔへ出力される。
【０１０８】
すなわち、４速は、図９の共線図に示すように、第１遊星ギヤＧ１からの減速回転を第３サンギヤＳ３への入力回転とする第１クラッチＣ１の締結点と、第１遊星ギヤＧ１からの減速回転を第２サンギヤＳ２への入力回転とする第２クラッチＣ２の締結点と、を結ぶ線にて規定され、入力軸Ｉｎｐｕｔから入力された回転を減速（＝第１遊星ギヤＧ１の減速比）して出力ギヤＯｕｔｐｕｔから出力する。
【０１０９】
この４速でのトルクフローは、図１１（ａ）に示す通りであり、太線で示す第１クラッチＣ１と第２クラッチＣ２と各メンバと、ハッチングで示す第１遊星ギヤＧ１及び変速遊星ギヤセット（第４ピニオンＰｂ３，第３リングギヤＲ３を除く）にトルクが作用する。
【０１１０】
〈５速〉
５速は、図２に示すように、４速での第２クラッチＣ２を解放し、第３クラッチＣ３を締結すること、つまり、第１クラッチＣ１と第３クラッチＣ３を締結することにより得られる。
【０１１１】
この５速では、変速遊星ギヤセットにおいて、第１クラッチＣ１の締結により、第１遊星ギヤＧ１からの減速回転が第３サンギヤＳ３に入力される。また、第３クラッチＣ３の締結により第２キャリヤＰＣ２に第１遊星ギヤＧ１からの減速回転が入力される。よって、第３サンギヤＳ３，第２ピニオンＰｂ１，第３ピニオンＰｂ２，第２リングギヤＲ２で構成されるダブルピニオン型遊星ギヤとみなした場合、第３サンギヤＳ３に入力される回転よりも大きな回転が第２キャリヤＰＣ２に入力され、第３サンギヤＳ３の回転と第２キャリヤＰＣ２の回転の間の回転が第２リングギヤＲ２から出力ギヤＯｕｔｐｕｔへ出力される。
【０１１２】
すなわち、５速は、図９の共線図に示すように、第１遊星ギヤＧ１からの減速回転を第３サンギヤＳ３への入力回転とする第１クラッチＣ１の締結点と、第２キャリヤＰＣ２の回転を入力回転とする第３クラッチＣ３の締結点と、を結ぶ線にて規定され、入力軸Ｉｎｐｕｔから入力された回転を僅かに減速して出力ギヤＯｕｔｐｕｔから出力する。
【０１１３】
この５速でのトルクフローは、図１１（ｂ）に示す通りであり、太線で示す第１クラッチＣ１と第３クラッチＣ３と各メンバと、ハッチングで示す第１遊星ギヤＧ１と変速遊星ギヤセット（第４ピニオンＰｂ３，第３リングギヤＲ３を除く）にトルクが作用することになる。
【０１１４】
（６速）
６速は、図２に示すように、５速での第１クラッチＣ１を解放し、第２クラッチＣ２を締結する、つまり、第２クラッチＣ２と第３クラッチＣ３を締結することにより得られる。
【０１１５】
この６速では、第２クラッチＣ２の締結により、第１遊星ギヤＧ１からの減速回転が第２サンギヤＳ２に入力される。同時に、第３クラッチＣ３の締結により、入力軸Ｉｎｐｕｔからの入力回転が第２キャリヤＰＣ２に入力される。
【０１１６】
よって、第２サンギヤＳ２，第３ピニオンＰｂ２，第２リングギヤＲ２から構成されるシングルピニオン型遊星ギヤとみなした場合、第２サンギヤＳ２に入力される減速された回転と、第２キャリヤＰＣ２に入力される入力回転とによって規定される増速回転が第２リングギヤＲ２から出力ギヤＯｕｔｐｕｔに出力される。
【０１１７】
すなわち、６速は、図９の共線図に示すように、第１遊星ギヤＧ１からの減速回転を第２サンギヤＳ２への入力回転とする第２クラッチＣ２の締結点と、第２キャリヤＰＣ２の回転を入力回転とする第３クラッチＣ３の締結点と、を結ぶ線にて規定され、入力軸Ｉｎｐｕｔから入力された回転を僅かに増速して出力ギヤＯｕｔｐｕｔから出力する。
【０１１８】
この６速でのトルクフローは、図１１（ｃ）に示す通りであり、太線で示す第２クラッチＣ２と第３クラッチＣ３と各メンバと、ハッチングで示す第１遊星ギヤＧ１と変速遊星ギヤセット（第３サンギヤＳ３，第２ピニオンＰｂ１，第４ピニオンＰｂ３，第３リングギヤＲ３を除く）にトルクが作用することになる。
【０１１９】
（７速）
７速は、図２に示すように、６速での第２クラッチＣ２を解放し、第２ブレーキＢ２を締結する、つまり、第３クラッチＣ３と第２ブレーキＢ２を締結することにより得られる。
【０１２０】
この７速では、第３クラッチＣ３の締結により、入力軸Ｉｎｐｕｔからの入力回転が第２キャリヤＰＣ２に入力される。また、第２ブレーキＢ２の締結により、第２サンギヤＳ２がケースに固定される。
【０１２１】
よって、第２サンギヤＳ２，第３ピニオンＰｂ２，第２リングギヤＲ２から構成されるシングルピニオン型遊星ギヤとみなした場合、第２キャリヤＰＣ２に入力される入力回転によって規定される増速回転が第２リングギヤＲ２から出力ギヤＯｕｔｐｕｔに出力される。
【０１２２】
すなわち、７速は、図９の共線図に示すように、第２キャリヤＰＣ２の回転を入力回転とする第３クラッチＣ３の締結点と、第２サンギヤＳ２をケースに固定とする第２ブレーキＢ２の締結点と、を結ぶ線にて規定され、入力軸Ｉｎｐｕｔから入力された回転を増速して出力ギヤＯｕｔｐｕｔから出力する。
【０１２３】
この７速でのトルクフローは、図１２（ａ）に示す通りであり、太線で示す第３クラッチＣ３と第２ブレーキＢ２と各メンバと、ハッチングで示す変速遊星ギヤセット（第３サンギヤＳ３，第２ピニオンＰｂ１，第４ピニオンＰｂ３，第３リングギヤＲ３を除く）にトルクが作用することになる。
【０１２４】
（８速）
８速は、図２に示すように、７速での第２ブレーキＢ２を解放し、第３ブレーキＢ３を締結する、つまり、第３クラッチＣ３と第３ブレーキＢ３を締結することにより得られる。
【０１２５】
この８速では、第３クラッチＣ３の締結により、入力軸Ｉｎｐｕｔからの入力回転が第２キャリヤＰＣ２に入力される。また、第３ブレーキＢ３の締結により、第３リングギヤＲ３がケースに固定される。
【０１２６】
よって、第３ピニオンＰｂ２の回転は、第３リングギヤＲ３及び第４ピニオンＰｂ３によって規定され、この第３ピニオンＰｂ３の回転によって規定される増速回転が第２リングギヤＲ２から出力ギヤＯｕｔｐｕｔに出力される。
【０１２７】
すなわち、８速は、図９の共線図に示すように、第２キャリヤＰＣ２の回転を入力回転とする第３クラッチＣ３の締結点と、第３リングギヤＲ３をケースに固定とする第３ブレーキＢ３の締結点と、を結ぶ線にて規定され、入力軸Ｉｎｐｕｔから入力された回転を増速して出力ギヤＯｕｔｐｕｔから出力する。
【０１２８】
この８速でのトルクフローは、図１２（ｂ）に示す通りであり、太線で示す第３クラッチＣ３と第３ブレーキＢ３と各メンバと、ハッチングで示す変速遊星ギヤセット（第２サンギヤＳ２，第３サンギヤＳ３，第２ピニオンＰｂ２を除く）にトルクが作用することになる。
【０１２９】
（後退１速）
後退１速は、図２に示すように、第２クラッチＣ２と第１ブレーキＢ１を締結することにより得られる。
【０１３０】
この後退１速では、第２クラッチＣ２の締結により、第１遊星ギヤＧ１からの減速回転が第２サンギヤＳ２に入力される。一方、第１ブレーキＢ１の締結により、第２キャリヤＰＣ２がケースに固定される。
【０１３１】
よって、第２サンギヤＳ２，第３ピニオンＰｂ２，第２リングギヤＲ２から構成されるシングルピニオン型遊星ギヤとみなした場合、第２キャリヤＰＣ２が固定されており、第２サンギヤＳ２に入力される減速された回転の逆回転が第２リングギヤＲ２から出力ギヤＯｕｔｐｕｔに出力される。
【０１３２】
すなわち、後退１速は、図９の共線図に示すように、第１遊星ギヤＧ１からの減速回転を第２サンギヤＳ２への入力回転とする第２クラッチＣ２の締結点と、第２キャリヤＰＣ２の回転を停止する第１ブレーキＢ１の締結点とを結ぶ線にて規定され、入力軸Ｉｎｐｕｔから入力された回転を逆方向に減速して出力ギヤＯｕｔｐｕｔから出力する。
【０１３３】
この後退１速でのトルクフローは、図１３（ａ）に示す通りであり、太線で示す第２クラッチＣ２と第１ブレーキＢ１と各メンバと、ハッチングで示す第１遊星ギヤＧ１と変速遊星ギヤセット（第３サンギヤＳ３，第２ピニオンＰｂ１，第４ピニオンＰｂ３，第３リングギヤＲ３を除く）にトルクが作用することになる。
【０１３４】
（後退２速）
後退２速は、図２に示すように、第２クラッチＣ２と第３ブレーキＢ３を締結することにより得られる。
【０１３５】
この後退２速では、第２クラッチＣ２の締結により、第１遊星ギヤＧ１からの減速回転が第２サンギヤＳ２に入力される。一方、第３ブレーキＢ３の締結により、第３リングギヤＲ３がケースに固定される。
【０１３６】
よって、変速遊星ギヤセットにおいて、第２サンギヤＳ２，第３ピニオンＰｂ２，第４ピニオンＰｂ３，第３リングギヤＲ３で構成されるダブルピニオン型の遊星ギヤとみなした場合、第２キャリヤＰＣ２は第２サンギヤＳ２と逆回転となる。一方、第２サンギヤＳ２，第２キャリヤＰＣ２，第２リングギヤＲ２で構成されるシングルピニオン型の遊星ギヤとみなした場合、第２キャリヤＰＣ２が逆回転しているため、第２リングギヤＲ２は逆回転が更に増速されることとなる。よって、第１遊星ギヤＧ１によって減速された回転が第２サンギヤＳ２に入力され、第２サンギヤＳ２の回転と逆回転（１速より増速）が第２リングギヤＲ２から出力ギヤＯｕｔｐｕｔへ出力される。
【０１３７】
すなわち、後退２速は、図９の共線図に示すように、第１遊星ギヤＧ１からの減速回転を第２サンギヤＳ２への入力回転とする第２クラッチＣ２の締結点と、第３リングギヤＲ３の回転を停止する第３ブレーキＢ３の締結点とを結ぶ線にて規定され、入力軸Ｉｎｐｕｔから入力された回転を逆方向に減速して出力ギヤＯｕｔｐｕｔから出力する。
【０１３８】
この後退２速でのトルクフローは、図１３（ｂ）に示す通りであり、太線で示す第２クラッチＣ２と第３ブレーキＢ３と各メンバと、ハッチングで示す第１遊星ギヤＧ１と変速遊星ギヤセット（第３サンギヤＳ３，第２ピニオンＰｂ１を除く）にトルクが作用することになる。
【０１３９】
次に、効果を説明する。第２実施例の車両用多段自動変速機にあっては、第１実施例の（１），（２），（３）の効果に加え、下記の効果を得ることができる。
【０１４０】
（４）．  第１実施例では、第３ピニオンＰｂ２を段付き形状としているため、ピニオンギヤの加工が困難である。これに対し、第２実施例では、同一径のピニオンギヤを用いているため、容易な加工で第１実施例と同様の作用効果を達成することができる。
【０１４１】
（５）．  第２実施例では、第２サンギヤＳ２の外周位置に第４ピニオンＰｂ３及び第３リングギヤＲ３を追加することで変速段の追加を達成することが可能となり、第１実施例に比べ軸方向の寸法が増大することなく多段化を達成することができる。
【０１４２】
以上、本発明の実施例を第１実施例と第２実施例に基づいて説明してきたが、具体的な構成については、これらの実施例に限られるものではなく、特許請求の範囲に記載の各請求項に記載された本発明の要旨を逸脱しない限り、設計の変更や追加等は許容される。
【図面の簡単な説明】
【図１】第１実施例の車両用多段自動変速機を示すスケルトン図を示す。
【図２】第１実施例の車両用多段自動変速機での締結作動表を表す図である。
【図３】第１実施例の車両用多段自動変速機の共線図である。
【図４】第１実施例の１速〜３速のトルク伝達経路を表すスケルトン図である。
【図５】第１実施例の４速〜６速のトルク伝達経路を表すスケルトン図である。
【図６】第１実施例の７速〜８速のトルク伝達経路を表すスケルトン図である。
【図７】第１実施例の後退１速及び後退２速のトルク伝達経路を表すスケルトン図である。
【図８】第２実施例の車両用多段自動変速機を示すスケルトン図を示す。
【図９】第２実施例の車両用多段自動変速機の共線図である。
【図１０】第２実施例の１速〜３速のトルク伝達経路を表すスケルトン図である。
【図１１】第２実施例の４速〜６速のトルク伝達経路を表すスケルトン図である。
【図１２】第２実施例の７速〜８速のトルク伝達経路を表すスケルトン図である。
【図１３】第２実施例の後退１速及び後退２速のトルク伝達経路を表すスケルトン図である。
【図１４】前進６速タイプの車両用多段自動変速機を示すスケルトン図である。
【符号の説明】
Ｇ１  第１遊星ギヤ
Ｃ１  第１クラッチ
Ｃ２  第２クラッチ
Ｃ３  第３クラッチ
Ｂ１  第１ブレーキ
Ｂ２  第２ブレーキ
Ｂ３  第３ブレーキ
Ｉｎｐｕｔ  入力軸（入力部）
Ｏｕｔｐｕｔ  出力ギヤ（出力部）
【図１】
2005042790.tif 000003
【図２】
2005042790.tif 000004
【図３】
2005042790.tif 000005
【図４】
2005042790.tif 000006
【図５】
2005042790.tif 000007
【図６】
2005042790.tif 000008
【図７】
2005042790.tif 000009
【図８】
2005042790.tif 000010
【図９】
2005042790.tif 000011
【図１０】
2005042790.tif 000012
【図１１】
2005042790.tif 000013
【図１２】
2005042790.tif 000014
【図１３】
2005042790.tif 000015
【図１４】
2005042790.tif 000016